(57)【要約】【課題】遊技領域を流下する遊技媒体を流入口へ向けて通過させる通路を複数設けるとともに、通路毎に流入口への到達時間を異ならせ、遊技媒体を流入口へ導く態様を通路毎に変化させることができる遊技盤ユニット及び遊技機を提供すること。【解決手段】この遊技盤ユニットは、遊技領域に配置される遊技部材としてのセンター役物７と、遊技媒体を流入させる流入口８ａ及び流入口８ａを開閉動作により開状態と閉状態とを実現する羽根部材８ｂを有する流入ユニット８と、遊技領域を流下する遊技媒体の流下速度を低減させる流下遅延部材３８と、流下遅延部材３８を所定の周期で駆動させる駆動部材と、を備え、遊技領域１６ｂを流下する遊技媒体２３の流下速度を低減して、遊技領域１６ｂを後続して流下する後続遊技媒体４０との間隔を狭めるように構成されている。【選択図】図２
2009240495.tif 000002
【特許請求の範囲】
【請求項１】
遊技媒体の流下による遊技を実現するための遊技領域が構成される遊技盤と、
該遊技領域を流下する遊技媒体を流入させる流入口及び該流入口への遊技媒体の流入が困難な状態と該流入が容易な状態とを実現する動作部材を有する流入ユニットと、
該遊技領域を流下する遊技媒体の流下速度を低減させる流下遅延部材と、
該流下遅延部材を所定の周期で駆動させる駆動部材と、を備え、
前記流下遅延部材は、前記駆動部材の駆動周期に応じて、遊技媒体の流下速度を低減させる状態と流下速度を低減した遊技媒体の流下速度を増加させつつ前記流入ユニットの流入口に向けて該遊技媒体を流下させる状態とを実現することにより、前記遊技領域を後続して流下する後続遊技媒体との間隔を狭めるように構成される、遊技盤ユニット。
【請求項２】
前記流下遅延部材は、前記遊技媒体の流下速度を低減させる状態においても、該遊技媒体を流下させるように構成される、請求項１に記載の遊技盤ユニット。
【請求項３】
請求項１又は請求項２に記載の遊技盤ユニットと、
前記遊技領域が遊技者にとって視認可能となるように前記遊技盤ユニットを保持する枠体と、
前記遊技盤ユニットに対してその前方に一定距離以上離間して配置された前面透明板と、
前記遊技媒体を前記遊技領域に向けて発射する発射ユニットと、を有する遊技機。
【発明の詳細な説明】
【技術分野】
【０００１】
本発明は、遊技盤ユニット及び遊技機に係り、特に遊技領域を流下する遊技媒体の流下速度を一時的に低減する機能を有する遊技盤ユニット等に関する。
【背景技術】
【０００２】
パチンコ機においては、発射された球が遊技領域（遊技盤面上又はその近傍に形成された領域であって、球の流下による遊技や演出を実現するための領域。）を流下して、その流下の過程で球が遊技領域内の障害釘（ゲージともいう。）や風車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
また、パチンコ機には、遊技領域を流下する遊技媒体を貯留させる遊技媒体貯留手段を備えたものがある。遊技媒体貯留手段は、いわゆる遊技媒体の入賞の権利を保留するものではなく、遊技領域を流下する遊技媒体そのものを物理的かつ一時的に保持して、遊技媒体の流下タイミングを遅延させるものである。このような遊技媒体貯留手段としては、例えば遊技媒体を物理的に保持し、一定時間毎に貯留した打球を落下可能な状態にするものや、遊技媒体を物理的に保持し、遊技者が手元のボタン等を押圧することで貯留した打球を落下可能な状態にするものがある。
【０００４】
しかし、これら遊技媒体貯留手段は、いずれも遊技媒体の流下タイミングを遅延するにあたって遊技性を加味した制御がなされているのではなかった。そこで、本出願人は、遊技媒体貯留手段における遊技媒体の貯留の解除にあたって遊技性を加味し、遊技性を付与しつつ遊技媒体の流下タイミングを遅延させるパチンコ機を提案している（特許文献１参照）。
【０００５】
このパチンコ機は、打球が入賞可能な入賞口と、入賞口への入賞を契機に抽選を行う抽選手段と、遊技盤面に弾発された打球を貯留させる打球貯留手段と、を備えており、抽選結果が特定の入賞態様となった際に打球貯留手段の貯留を解除する。したがって、一時的に打球の流下速度を低減し、打球の流下タイミングを遅延させるものである。このパチンコ機によれば、抽選手段の抽選結果に基づいて、遊技媒体の流下タイミングを遅延させることが可能となる。
【０００６】
ところで、上述のパチンコ機のように、入賞口への入賞を契機として抽選を行うパチンコ機において、抽選結果が大当たりとなった際に、所定の入賞口を所定時間開放して入賞口へ遊技球を入賞させることにより、通常の遊技状態より多くの景品球を遊技者に付与するように構成するものがある。
【０００７】
このようなパチンコ機は、大当たりとなった際に開放される入賞口により多くの球を入賞させることが好ましい。そのため、遊技球貯留手段によって球を貯留しておき、大当たりとなって入賞口が開放するタイミングで遊技者が遊技球貯留手段の貯留を解除する操作を行うように構成されている。すなわち、入賞口に球を到達するタイミングを遅延させて、大当たりとなった際に多くの球を入賞口に入賞させるように構成するものが提案されている（特許文献２参照）。
【０００８】
【特許文献１】特開２００３−２９９７８５号公報
【特許文献２】特開２００７−２６７８８１号公報
【発明の開示】
【発明が解決しようとする課題】
【０００９】
特許文献１に記載のパチンコ機は、抽選結果に基づいて打球貯留手段の解除を行うため、遊技媒体の貯留の解除について遊技性を付与することができるが、抽選結果に基づいて遊技媒体の貯留を解除させる制御手段が必要であり、制御手段によらずに遊技媒体の流下タイミングを遅延させることができなかった。
【００１０】
また、特許文献２に記載のパチンコ機においても、遊技者が操作する操作手段及びこの操作に基づく遊技媒体の貯留を解除させる制御手段が必要であり、これら操作手段及び制御手段によらずに遊技媒体の流下タイミングを遅延させ、複数の遊技媒体を入賞口に導くことができなかった。
【００１１】
本発明は、上記の事情に鑑みて為されたもので、複雑な制御手段によらず、簡素な構造によって遊技媒体の流下速度を低減して、流入ユニットの流入口に遊技媒体を到達させるタイミングを遅延させ、流入ユニットの流入口に複数の遊技媒体を導く確率を高めることができる遊技盤ユニット及び遊技機を提供することを例示的課題とする。
【課題を解決するための手段】
【００１２】
上記の課題を解決するために、本発明の例示的側面としての遊技盤ユニットは、遊技媒体の流下による遊技を実現するための遊技領域が構成される遊技盤と、遊技領域を流下する遊技媒体を流入させる流入口及び該流入口への遊技媒体の流入が困難な状態と流入が容易な状態とを実現する動作部材を有する流入ユニットと、遊技領域を流下する遊技媒体の流下速度を低減させる流下遅延部材と、流下遅延部材を所定の周期で駆動する駆動部材と、を備え、流下遅延部材は、駆動部材の駆動周期に応じて、遊技媒体の流下速度を低減させる状態と流下速度を低減した遊技媒体の流下速度を増加させつつ流入ユニットの流入口に向けて遊技媒体を流下させる状態とを実現することにより、遊技領域を後続して流下する後続遊技媒体との間隔を狭めるように構成される。
【００１３】
流下遅延部材によって、遊技媒体の流下速度を低減させることで、流入ユニットの流入口に遊技媒体を到達させるタイミングを遅延させることができる。また、流下遅延部材は、駆動部材によって所定の周期で駆動されており、この駆動周期に応じて、遊技媒体の流下速度を低減させる状態と流下速度を低減した遊技媒体の流下速度を増加させつつ流入ユニットの流入口に向けて該遊技媒体を流下させる状態とを実現し、一時的に遊技媒体の流下速度を低減して、流入ユニットの流入口に到達する時間を遅延させる。駆動部材は所定の周期で駆動しているため複雑な制御手段を必要とせず、簡素な構造によって、流入ユニットの流入口に遊技媒体を到達させる時間を遅延させることができる。
【００１４】
複数の遊技媒体が所定間隔を空けて遊技領域を流下しており、流入ユニットの流入口に到達するタイミングに所定時間の差が生じる場合であっても、一方の遊技媒体を流下遅延部材によって流入ユニットの流入口に到達させるタイミングを遅らせ、他方の遊技媒体を流下遅延部材によらず遊技領域を流下させることにより、所定時間の差を減少させることが可能となり、遊技媒体と後続遊技媒体との間隔を狭めることが可能となる。更には、遊技媒体と後続遊技媒体を略同時に遊技媒体を流入ユニットの流入口へ到達させることが可能となる。なお、遊技媒体と後続遊技媒体との間隔とは、時間における間隔及び距離における間隔のいずれも含む概念であり、少なくともいずれか一方が狭まるように構成される。また、遊技媒体と後続遊技媒体との間隔が狭まることは、遊技媒体が流下遅延部材の影響を受ける前後を比較して時間及び／又は距離が狭まっていればよい概念である。
【００１５】
例えば、遊技媒体として遊技球を用いる場合にあっては、遊技球は発射装置により１個ずつ遊技領域に発射され、その発射数は通常１分間に１００発以下となっている。したがって、遊技領域に打ち出される遊技球の間隔は少なくとも０．６秒である。すなわち、流下遅延部材によって遊技媒体の流入口への流下を少なくとも０．６秒遅延させることにより、次いで発射される遊技球と合わせて流入ユニットの流入口へ遊技媒体を導くことが可能となる。流入ユニットして入賞口を用いる場合には、複数の遊技媒体を略同時に流入ユニットの流入口に流入させることにより、複数の球の入賞による利益を遊技者に付与し、遊技者の利益を高めることが可能となる。
【００１６】
ここで遊技媒体としては、典型的には遊技機としてのパチンコ機に使用される球（パチンコ球）が概念されるが、もちろん、遊技領域をコインが流下するコインゲーム等においては、そのコインが遊技媒体に該当する。また、流下遅延部材によって流下速度を低減すする遊技媒体は、単数であってもよいし複数であってもよく、遊技性等に応じて適宜設定することが好ましい。
【００１７】
なお、流下遅延部材によって流下速度を低減する遊技媒体は、単数であっても複数であってもよく、更に、流下遅延部材から流入ユニットの流入口へ向けて流下する遊技媒体は、流下速度が低減された遊技媒体を一度に全部流下するように構成してもよいし、遊技媒体のうち一部の遊技媒体を流下して、複数回に分けて流入口に向けて流下するように構成してもよい。
【００１８】
ここで流下速度とは、単位時間あたりの鉛直成分の移動量であり、換言すると鉛直成分の移動速度である。流下遅延部材による遊技媒体の流下速度の低減とは、遊技領域を流下する遊技媒体が流下遅延部材の影響を受ける前後を比較して流下速度が低減していればよい概念であり、流下遅延部材によって流下速度が低減された結果、遊技媒体が流下しない場合（流下速度ゼロ）も含む概念である。また、駆動部材の駆動による遊技媒体の流下速度の増加とは、駆動による影響を受ける前後を比較して流下速度が増加していればよい概念である。
【００１９】
駆動部材は、予め定められた所定の周期で流下遅延部材を駆動させるものであり、ソレノイド、モータ等の駆動源を用いることができる。また、駆動周期は、適宜設定することができるが、複数の遊技媒体を略同時に流入ユニットの流入口に到達できるように設定することが望ましい。例えば、複数の遊技媒体が所定の間隔を空けて遊技領域を流下する場合には、先に流下する遊技媒体と、後続して流下する遊技媒体と、を略同時に流入ユニットの流入口に到達できるように流下遅延部材の駆動周期を設定する。
【００２０】
流下遅延部材は、駆動部材の駆動周期に応じて、遊技媒体の流下速度を低減させる状態と、流下速度を低減した遊技媒体の流下速度を増加させつつ流入ユニットの流入口に向けて該遊技媒体を流下させる状態と、を実現できるものであればよく、種々の構成によって実現することができる。
【００２１】
具体的には、遊技盤上に立設されたプレート部材と、プレート部材の下方に配置され、水平移動自在な停留部材と、プレート部材の上下方向に貫通して形成され、遊技媒体が通過可能な開口部と、を有する構成によって実現することができる。停留部材は、駆動部材によって所定の周期で水平駆動される。停留部材がプレート部材の下方に位置し、プレート部材の開口部を塞ぐ状態では、遊技領域を流下する遊技媒体は開口部を通過できず、流下遅延部材に留まる。すなわち、遊技媒体の流下速度を低減させた状態である。次いで、後続して流下する後続遊技媒体が流下遅延部材より下方に流下するタイミングにおいて、停留部材が水平方向に移動されると、プレート部材の開口部を開放する状態となる。プレート部材の開口部を遊技媒体が通過し、遊技媒体は、後続遊技媒体に続いて流下される。すなわち、遊技媒体の流下速度を増加させつつ流入ユニットの流入口に向けて遊技媒体を流下させる状態を実現するとともに、遊技媒体と後続遊技媒体との間隔を狭めることができる。
【００２２】
他の構成としては、遊技領域を流下する遊技媒体が流入可能であり、遊技媒体の通過面が略水平である遊技媒体通路であって、この遊技媒体通路の通路面を略水平状態と略鉛直状態に駆動させる構成によって実現することができる。遊技媒体の通過面が略水平の状態では、通過面上の遊技媒体は水平面に沿って比較的ゆっくりと移動する。すなわち、遊技媒体の流下速度を低減させる状態を実現することができる。そして、後続遊技媒体が流下遅延部材に近づくタイミングにおいて、遊技媒体の通過面が略鉛直の状態に駆動されると、遊技媒体は通過面から落下し、遊技媒体通路から下方に流下する。すなわち、遊技媒体の流下速度を増加させつつ流入ユニットの流入口に向けて遊技媒体を流下させる状態を実現するとともに、遊技媒体と後続遊技媒体との間隔を狭めることが可能となる。
【００２３】
流入ユニットとは、遊技媒体が流入可能な流入口と、流入口に遊技媒体が流入容易な状態と流入困難な状態とを実現する動作部材と、を有するものであり、例えば、遊技媒体の流入が特別遊技の抽選の契機となるとともに、一定数の遊技媒体の払出しの契機となる始動入賞口、始動入賞口への流入による特別遊技の抽選結果が当たりとなった際に大当たり遊技を実行する大入賞口、遊技媒体の流入が一定数の遊技媒体の払出しの契機となる一般入賞口、を例示することができる。
【００２４】
動作部材は、流入口への遊技媒体の流入を容易な状態と困難な状態とを実現できる部材であり、より具体的には、流入口を閉める状態と開ける状態とを開閉動作により実現する開閉扉、流入口の開口寸法を遊技媒体が流入容易な寸法と流入し難い寸法とに変化させるように流入口近傍で移動する移動部材、を例示できる。
【００２５】
遊技媒体の流入が容易な状態と困難な状態とに状態を変化させる構成は、ソレノイド等の駆動源を用いて動作部材を一定周期で駆動させるように構成して実現してもよいし、他の流入口への遊技媒体の流入や遊技状態に基づいて駆動させるように構成して実現もよく、更には、流入口に流入した遊技媒体が内部の機構を駆動させることにより状態を変化させるように構成して実現してもよく、種々の構成によって実現することができる。
【００２６】
なお、流入ユニットと流下遅延部材は、一体に形成されていてもよい。流入ユニットと流下遅延部材を一体に形成することにより、遊技領域のスペースを有効活用することができる。また、流入ユニットと流下遅延部材を一体に形成しない場合であっても、流下遅延部材の遊技媒体の出口と流入ユニットとの間にゲージ等の部品を配置せず、流下遅延部材の出口の直下に流入ユニットを配置することが望ましい。この構成によれば、流下遅延部材から流下した遊技媒体がゲージ等の影響を受けることなく、流下遅延部材から流出した遊技媒体が流入口に到達する確率を向上させることが可能となる。
【００２７】
流下遅延部材から流下する遊技媒体は、流入ユニットの流入口に向かって流下するが、動作部材が遊技媒体の流入が困難な状態を実現している際は、遊技媒体は流入口に流入せずに更に下流へ流下し、遊技者は流入口への流入による利益を得られないことになる。したがって、例えば、動作部材が開閉動作を繰り返している場合には、動作部材が流入口を開放するタイミングと、流下遅延部材から遊技媒体を流下させるタイミングと、を合わせるように駆動周期を設定することにより、流入口へ流入させる遊技媒体を増やし、流入口に流入されない遊技媒体を減らし、遊技者の利益を増加させることができる。
【００２８】
流下遅延部材は、遊技媒体の流下速度を低減させる状態においても、遊技媒体を流下させるように構成されることが好ましい。流下遅延部材が流下速度を低減した状態においても、流下媒体を流下させるように構成することで、駆動部材によって駆動されていないタイミングであっても遊技媒体を流下させて流入ユニットの流入口へ導くことが可能となる。すなわち、駆動部材の駆動によらないで、遊技媒体の流下を実現させることも可能となり、遊技領域に球が停留することを防止できる。
【００２９】
本発明の更に他の例示的側面としての遊技機は、上記の遊技盤ユニットと、遊技領域が遊技者にとって視認可能となるように遊技盤ユニットを保持する枠体と、遊技盤ユニットに対してその前方に一定距離以上離間して配置された前面透明板と、遊技媒体を遊技領域に向けて発射する発射ユニットと、を有する。
【００３０】
この遊技機によれば、流下遅延部材によって、遊技媒体の流下速度を低減させることで、流入ユニットの流入口に遊技媒体を到達させるタイミングを遅延させることができる。また、流下遅延部材は、駆動部材によって所定の周期で駆動されており、この駆動周期に応じて、遊技媒体の流下速度を低減させる状態と流下速度を低減した遊技媒体の流下速度を増加させつつ流入ユニットの流入口に向けて該遊技媒体を流下させる状態とを実現し、一時的に遊技媒体の流下速度を低減して、流入ユニットの流入口に到達する時間を遅延させる。駆動部材は所定の周期で駆動しているため複雑な制御手段を必要とせず、簡素な構造によって、流入ユニットの流入口に遊技媒体を到達させる時間を遅延させることができる。
【００３１】
複数の遊技媒体が所定間隔を空けて遊技領域を流下しており、流入ユニットの流入口に到達するタイミングに所定時間の差が生じる場合であっても、一方の遊技媒体を流下遅延部材によって流入ユニットの流入口に到達させるタイミングを遅らせ、他方の遊技媒体を流下遅延部材によらず遊技領域を流下させることにより、所定時間の差を減少させることが可能となり、遊技媒体と後続遊技媒体との間隔を狭めることが可能となる。更には、遊技媒体と後続遊技媒体を略同時に遊技媒体を流入ユニットの流入口へ到達させることが可能となる。
【００３２】
本発明の更なる目的又はその他の特徴は、以下添付図面を参照して説明される好ましい実施の形態によって明らかにされるであろう。
【発明の効果】
【００３３】
本発明によれば、複雑な制御手段によらず、簡素な構造の流下遅延部材によって遊技媒体の流下速度を低減して、流入ユニットの流入口に遊技媒体を到達させるタイミングを遅延させることができる。遊技媒体は、流下速度を低減されることにより、この遊技媒体より後続して遊技領域を流下する後続遊技媒体との間隔を狭めることが可能となる。更には、遊技媒体と後続遊技媒体を略同時に遊技媒体を流入ユニットの流入口へ到達させる確率を高めることが可能となる。
【発明を実施するための最良の形態】
【００３４】
以下、本発明の実施の形態について図面を用いて説明する。図１は、本発明の実施の形態に係る遊技機としてのパチンコ機２の正面図である。このパチンコ機２は、枠体３、遊技盤ユニット５、前面ガラス（前面透明板）１０、発射ユニット（不図示）、貯留皿１４を有している。発射ユニットは、１個ずつ遊技媒体としての球を遊技盤ユニット５に構成される遊技領域６ｂに向けて発射可能であり、その発射数は通常１分間に１００発以下であり、遊技領域６ｂに打ち出される球の間隔は少なくとも０．６秒である。
【００３５】
なお、遊技機は、パチンコ機２の他にパロット機、コインゲーム機等のアーケードマシン、各種ゲーム機を概念することができ、要するに、遊技媒体の流下による遊技を実現する遊技領域を有するあらゆる遊技機が含まれる。なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）とハネモノ遊技（２種遊技、役物遊技ともいう。）の両方の遊技を実現するいわゆる１種２種タイプのパチンコ機について例示説明する。なお、図柄変動遊技及び役物遊技については後述する。
【００３６】
パチンコ機２の枠体３は、後述する遊技盤ユニット５を保持するためのもので、このパチンコ機２の周囲及び前方又はそれに加えて後方を囲むように構成される。枠体３の内部には、遊技盤ユニット５の他にも各種電子基板や遊技媒体用の経路等各種機構部品が配置され、枠体３によって周囲側面及び前面又はそれに加えて後方からのパチンコ機２内部への不正アクセスが防止されるようになっている。
【００３７】
例えば、パチンコ機２の周囲を囲む筐体枠４、その内側にヒンジ部（揺動支持部）２２によって前方開閉可能に揺動支持されて遊技盤ユニット５を保持する機枠９、機枠９の前方にヒンジ部２２によって前方開閉可能に揺動支持されて前面ガラス１０とその周囲を装飾する装飾部材３２とを保持する装飾枠１２とを有して枠体３が構成される。なお、前面ガラス１０は、枠体３内部に保持された遊技盤６を前方から遊技者が視認することができるようにするための透明部材であるが、詳細は後述する。
【００３８】
貯留皿１４は、遊技者の持ち球を貯留するためにパチンコ機２の前面に配置された皿部材であって、本実施の形態においては上皿１４ａと下皿１４ｂとを有している。上皿１４ａは、球排出ボタン１４ｃを有して遊技盤６の下方、すなわち装飾枠１２の下方部分に配置され、下皿１４ｂは、その上皿１４ａの更に下方に配置されている。
【００３９】
遊技盤ユニット５は、遊技盤面（表面）６ａ側の略中央にセンター役物７が配置された遊技盤６と、そのセンター役物７の一部に配置された２種大入賞口（第２の大入賞口）８とを有しており、その遊技盤面６ａには多数のゲージ（障害釘）２７も配置されている。
【００４０】
遊技盤６は、その遊技盤面６ａ側に球（遊技媒体）２３の流下による遊技を実現するための遊技領域６ｂを構成するための盤状部材であり、遊技盤面６ａを前方から遊技者にとって視認可能となるように枠体３（本実施の形態においては、枠体３の一部としての機枠９。）に保持されている。その遊技盤面６ａには略円形状に周囲を囲むようにレール飾り２６が取り付けられており、レール飾り２６の内周面（内側面）２６ａが遊技盤面６ａに対して立設するように配置されている。そして、その内側面２６ａによって画定され、内側面２６ａに面した略円形状の領域が遊技領域６ｂとなっている。
【００４１】
ゲージ２７は、遊技領域６ｂを流下する球２３と衝突してその流下方向を変更させる流下変更部材であり、多数が遊技領域６ｂ内に配置されている。また、遊技領域６ｂには、普通入賞口２８、中央始動口（第１の始動口）２９ａ、開閉始動口（第２の始動口）２９ｂ、中央大入賞口（第１の大入賞口）３１、２種大入賞口８、流下遅延部材３８、通過ゲート３３、風車３４等が配置されており、流下する球２３が各流入口に流入したり、流下遅延部材３８によって一時的に流下速度を低減されたり、通過ゲート３３を通過したり、風車３４を回転させたりすることによって、球２３による流下遊技を楽しむことができるようになっている。
【００４２】
センター役物７は、遊技領域６ｂの略中央に配置されて、図柄変動遊技（１種遊技）や役物遊技（２種遊技）を実現するものである。センター役物７は、図柄表示装置７ａの表示画面７ｂの周囲であって遊技盤面６ａ上に配置された樹脂製の造形体である。センター役物７は、例えば表示画面７ｂの周囲を囲み、表示画面７ｂが遊技者に視認可能となるように配置されている。センター役物７には、模様や色彩が付され、また、キャラクター等の造形が施されており、装飾的な演出効果を発揮するようになっている。
【００４３】
図柄表示装置７ａは、例えば、液晶表示装置・有機ＥＬディスプレイ・ＬＥＤ等により構成されて遊技者が遊技盤面６ａ側から視認可能となるように配置され、その表示画面（映像表示面）７ｂ上に映像表示を行うものである。この表示画面７ｂ上には、例えば、３桁の数字又は文字等により構成される表示図柄７ｃが回転又は停止するように映像として表示される。また、例えば、キャラクター等によるストーリー仕立ての映像としての演出映像も表示画面７ｂ上に表示されるようになっている。
【００４４】
前面ガラス１０は、遊技盤６に対して一定距離以上離間して配置された透明板である。前面ガラス１０は透明平板ガラスで形成されて装飾枠１２の裏面側に保持され、遊技盤６との間に球２３が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００４５】
発射ユニットは、球供給装置（不図示）によって貯留皿１４の一部としての上皿１４ａから発射位置に送り出された球２３を遊技領域６ｂの上部に向けて発射（弾球）するためのものである。発射ユニットは、例えば発射位置の球２３を弾球する発射杆、その発射杆を駆動する発射モータ、発射杆を付勢して弾球力を発生させる発射バネ等を有してユニット構成され、機枠９に取り付けられている。その発射ユニットによる球発射のため、遊技者の操作に基づいて球発射のオンオフ及びその発射強度調整を実現する発射ハンドル１５がパチンコ機２の前面下方に設けられている。
【００４６】
図示しない球発射ユニットにより球２３が発射されると、球２３はレール飾り２６の内側面２６ａに沿いつつ進行して遊技領域６ｂ内の上部に至る。その後、球２３はゲージ２７に衝突しつつ遊技領域６ｂ内を下方に流下し、あるものは普通入賞口２８に流入して一定数の景品球払出しの契機となり、あるものはいずれの入賞口にも流入せずに遊技領域６ｂ内最下部に位置するアウト口３０に流入してパチンコ機２の外部へと排出される。
【００４７】
図柄変動遊技中に球２３が中央始動口２９ａに流入すると、その流入に起因して図柄表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当たり（第１の特別遊技。以下、図柄変動大当たりという。）が発生する。そして、中央大入賞口３１が開放して多量の入賞球を受け入れ、多量の景品球が貯留皿１４へと払出されるようになっている。
【００４８】
センター役物７は、この遊技領域６ｂの略中央に位置しており、その上部の一部が球通路３７の下側壁面を構成している。そして発射された球２３がこの球通路３７を通過するとセンター役物７の右側部分の遊技領域（右側領域）１６ｂへ至ることができるようになっている。一方、発射された球２３の勢いが比較的弱く、この球通路３７を通過しない場合には、球２３はセンター役物７の左側部分の遊技領域（左側領域）１６ａを流下することとなる。なお、このパチンコ機２においては、通過ゲート３３、開閉始動口２９ｂ及び２種大入賞口８は、いずれも右側領域１６ｂに配置され、球通路３７を通過した後の球２３がその近傍へと流下することができるようになっている。
【００４９】
球通路３７の通路出口近傍には、球通路３７を通過した後の球２３を下方に流下させるための衝突部２６ｂが配置されている。衝突部２６ｂは、衝撃緩和・騒音吸収の機能を発揮するウレタンゴム等の弾性部材からなり、球２３の損傷や騒音を防止することができる。衝突部２６ｂに衝突した球２３は、衝撃を緩和され、衝突部２６ｂの下方に流下するように構成されている。
【００５０】
球通路３７を通過した球２３は、右側領域１６ｂを流下し、あるものは流下遅延部材３８によって流下速度を低減され、あるものは通過ゲート３３を通過する。その通過ゲート３３の通過に起因して状態変更抽選手段（不図示）による抽選が行われ、その抽選結果が当たりの場合に、開閉始動口２９ｂが一定時間開放する。この開閉始動口２９ｂは、閉鎖状態では球２３の流入が不可能とされているが、その開放中に別の球が開閉始動口２９ｂに流入すると、それに起因して２種大入賞口８が所定時間開放して大当たり遊技が発生する（即ち、第２特別遊技の第１段階）。その開放時間中に、更に後続の球２３が２種大入賞口８のＶ入賞口３５に入賞すれば、中央大入賞口３１の開放により大当たり遊技の継続（即ち、第２特別遊技の第２段階）を楽しむことができるようになっている。
【００５１】
センター役物７の中央部に配置された図柄表示装置７ａは、奥行き方向において遊技盤面６ａよりもやや奥まって配置されており、その図柄表示装置７ａの前方部分には２種大入賞口８が配置されている。２種大入賞口８は、球２３を入球可能に開口された入球口（流入口）８ａと、入球口８ａの流入可能な状態と流入不可能な状態とを実現する羽根部材（動作部材）８ｂを有する。羽根部材８ｂは中心を軸として回転方向に駆動することにより、２種大入賞口８の入球口８ａを開放する入球可能な状態と入球口８ａを塞ぐ入球不可能な状態とを実現する。
【００５２】
２種大入賞口８の入球口８ａから入球した球２３は、その下流に配置されたクルーン部材８ｃを通過する。クルーン部材８ｃは、筒状で上下方向に貫通する中空部を有し、中空部を通過する過程で球２３が減速される。クルーン部材８ｃの下流には、球２３を一定確率でＶ入賞口３５に入球させる第１の案内路８ｄと、球２３を第１の案内路８ｄより低い確率でＶ入賞口３５に入球させる第２の案内路８ｅと、クルーン部材８ｃを通過した球２３を第１の案内路８ｄ及び第２の案内路８ｅのいずれかに振り分ける振分け部（扇部材）８ｆと、が配置されている。扇部材８ｆは、一定の確率で第１の案内路８ｄ及び第２の案内路ｅのいずれかに球２３を振り分けるように一定周期で駆動しており、複数の球２３を一度に振り分ける際には第１の案内路８ｄに導きやすくなるように構成されている。
【００５３】
第１の案内路８ｄ又は第２の案内路８ｅのいずれかを通過した球２３が、Ｖ入賞口３５に入球すると大当たりが確定する。このＶ入賞口３５は、一定周期で絶えず左右方向に揺動している部分であり、球２３がタイミング良く移動してＶ入賞口３５に進入すると、上記大当たりが確定する。
【００５４】
２種大入賞口８の入球口８ａの上流には、遊技領域６ｂを流下する球２３の流下速度を一時的に低減する流下遅延部材３８が配置されている。流下遅延部材３８は、駆動部材４２（図３参照）によって所定の周期で駆動されており、駆動部材４２の駆動周期に応じて、遊技領域６ｂを流下する球２３の流下速度を低減する状態と、この流下速度を低減した球２３の流下速度を増加させつつ、球２３を２種大入賞口８の入球口８ａに向けて流下させる状態と、を実現する。そして、流下遅延部材３８によって流下速度を低減された球２３と、この球２３に対して後続して遊技領域６ｂを流下する後続球４０と、の間隔を狭めることができるように構成されている。尚、後続球４０は、球２３を後続して流下遅延部材３８に到達する球であり、球２３と同様に発射ユニットによって遊技領域に向けて発射された球であるが、流下遅延部材３８の動作説明のため、別符号を用いて説明を行う。
【００５５】
流下遅延部材３８は、球通路３７の通路出口近傍に配置された衝突部２６ｂの下流に配置されており、この衝突部２６ｂによって衝撃を緩和され、下方に流下する球２３が流入されるように構成されている。
【００５６】
図２に、このパチンコ機における流下遅延部材３８を拡大した正面図を示す。また、図３（ａ）は、流下遅延部材３８の斜視図であり、図３（ｂ）は、流下遅延部材３８の分解斜視図である。流下遅延部材３８は、中空部が形成された一対の収納部３８ａと、収納部３８ａの中空部に格納され、駆動部材４２によって回転駆動される円盤部３８ｂと、円盤部３８ｂに立設され、右側領域１６ｂを流下する球２３を収納部３８ａ間に流入させる開状態と、球２３を収納部３８ａ間に流入させない閉状態と、を実現する立設部３８ｃと、を備える。立設部３８ｃが設けられた円盤部３８ｂは、収納部３８ａの中空部に収納されており、この中空部の内部において円盤部３８ｂは時計方向に回転駆動する。円盤部３８ｂの裏面には、駆動軸が遊技盤６を貫通して固定されており、この駆動軸とギアを介して、駆動部材４２によって円盤部３８ｂは駆動される。
【００５７】
円盤部３８ｂに固定された立設部は、円盤部３８ｂの円周に沿って均等の間隔を空けて配置されており、隣接する立設部３８ｃの中心と、円盤部３８ｂの中心がなす角度αは６０度である。したがって、円盤部３８ｂが６０度回転駆動することにより、隣接する立設部３８ｃに置き換わる。円盤部３８ｂは断続的に回転駆動しており、３．６秒経過する過程で円盤部３８ｂが１回転するように駆動周期が設定されている。したがって、０．６秒経過する過程で６０度回転して、隣接する立設部３８ｃに変わるように構成されている。流下遅延部材３８は、球２３の発射間隔と同じである０．６秒毎に、流下速度を低減した球２３を流下させるように構成されており、この設定により先に発射された球と、後続の球と、を略同時に２種大入賞口８の入球口８ａに向けて流下させることが可能となる。
【００５８】
収納部３８ａと収納部３８ａの間は、球２３が通過可能な貯留空間３８ｄであり、上部に位置する貯留空間入口３８ｅから流入した球は、下部に位置する貯留空間出口３８ｆから流出可能である。円盤部３８ｂが回転駆動することにより、円盤部３８ｂに固定された立設部３８ｃも同様に回転駆動する。立設部３８ｃの回転駆動することによって、貯留空間入口３８ｅの開口寸法を球が流入容易な寸法と流入し難い寸法とに変化させ、球の流下速度を低減させる状態と流下速度を低減した球の流下速度を増加させつつ２種大入賞口８の入球口８ａに向けて球２３を流下させる状態とを実現する。なお、球２３が流入容易な開口寸法とは、球２３の径である１１ｍｍ以上であり、球２３が流入し難い寸法とは、１１ｍｍ未満である。
【００５９】
次いで、図４に基づいて、流下遅延部材３８による技領域６ｂを流下する球２３の流下速度を低減する状態と、流下速度を低減した球２３の流下速度を増加させつつ、２種大入賞口８の入球口８ａに向けて球２３を流下させる状態とを実現する態様を説明する。図４は、流下低減部材の動作説明図である。流下遅延部材は、図示する（ａ）から（ｆ）の順序で駆動される。以下、（ａ）から（ｆ）の順序で説明する。
【００６０】
図４（ａ）は、立設部によって貯留空間入口３８ｅの開口寸法が１１ｍｍ未満となっている状態である。球２３は、貯留空間３８ｄに流入せず、立設部３８ｃ上に留まり、流下速度が低減された状態である。このとき、後続球４０は、流下遅延部材３８に向かって流下している。次いで、図４（ｂ）は、立設部３８ｃが回転移動したことにより、貯留空間入口３８ｅの開口寸法が１１ｍｍ以上となっている状態である。球２３は、貯留空間３８ｄ内に流下し、流下速度が増加する。また、後続球４０も流下遅延部材の貯留空間入口３８ｅに到達する。そして、図４（ｃ）に示すように、球２３は、貯留空間３８ｄから流出するとともに、後続球４０も貯留空間３８ｄを通過して、球２３と後続球４０は略同時に２種大入賞口８の入球口８ａに向けて流下する。
【００６１】
図４（ｄ）は、図４（ｃ）の状態から更に円盤部３８ｂが回転駆動して、貯留空間入口３８ｅの開口寸法が略１１ｍｍとなる間近に球２３が流入した状態である。球２３は、貯留空間３８ｄに流入する。そして、図４（ｅ）に示すように貯留空間３８ｄを流下する過程で、円盤部３８ｂが更に回転駆動し、貯留空間出口３８ｆの開口寸法が１１ｍｍ未満となる。そのため、球２３は貯留空間３８ｄから流下せずに、貯留空間３８ｄ内に留まる。このとき、後続球４０は、流下遅延部材３８に向かって流下している。次いで、図４（ｆ）は、更に円盤部３８ｂが回転駆動したことにより、貯留空間入口３８ｅの開口寸法が１１ｍｍ以上となって後続球４０が貯留空間３８ｄ内に流下するとともに、貯留空間出口３８ｆの開口寸法も１１ｍｍ以上となって貯留空間３８ｄ内に留まっていた球２３も流下する。後続球４０も貯留空間３８ｄを通過して、球２３と後続球４０は略同時に２種大入賞口８の入球口８ａに向けて流下する。
【００６２】
次に、このパチンコ機２における遊技方法について簡単に説明する。
【００６３】
＜図柄変動遊技＞
遊技者が、発射ハンドル１５を操作すると、球発射が行われ、球２３が発射レール（不図示）及びレール飾り２６の内側面２６ａに沿って発射されて遊技領域６ｂの上部へと至る。図柄変動遊技においては、遊技者は中央始動口２９ａへの球２３の流入を狙い、主に左側領域１６ａで球２３を流下させるように発射強度が弱くなるように発射ハンドル１５の回転量を調整して球発射を行う。それにより、球２３は球通路３７へと至る前に内側面２６ａから落下を開始し、左側領域１６ａを流下する。この左側領域１６ａを流下した球２３は、例えば、普通入賞口２８に流入したり、中央始動口２９ａに流入したりする。もちろん、このパチンコ機２においては、右側領域１６ｂも球２３が流下できるように構成されているため、遊技者は、図柄変動遊技において発射強度を強めて球発射を行ってもよい。
【００６４】
中央始動口２９ａへと球２３が流入すると、図柄表示装置７ａが表示図柄７ｃの回転表示（第１の特別遊技の抽選）を開始する。そして、所定の大当たり態様（例えば、「７・７・７」。）で表示図柄７ｃが停止表示されると、図柄変動大当たり発生となり、中央大入賞口３１が開放する。そして、多量の球２３が中央大入賞口３１へと流入し、多量の景品球が払出される。
【００６５】
中央大入賞口３１の開閉動作が所定回数繰り返して行われ、第一の特別遊技が終了する。図柄変動大当たりの表示図柄７ｃの停止態様は、例えば「２・２・２」、「６・６・６」「７・７・７」等のように複数の態様を有している。そのうちの一部の態様（例えば、「７・７・７」。）での図柄変動大当たり遊技が終了すると、その後に役物遊技が開始される。
【００６６】
＜役物遊技＞
役物遊技が開始されると、遊技者は通過ゲート３３への球２３の通過を狙い、右側領域１６ｂで球２３を流下させるように発射強度が強くなるように発射ハンドル１５の回転量を調整して球発射を行う。それにより、球２３が内側面２６ａに沿いつつ球通路３７へと進入し、球通路３７内を通過して右側領域１６ｂへと至る。
【００６７】
このように、球通路３７を通過した球２３は、右側領域１６ｂを流下して、あるものは流下遅延部材３８よって球の流下速度が低減され、あるものは通過ゲート３３を通過する。それに起因して行われた状態変更抽選手段による抽選結果が当りの場合に、開閉始動口２９ｂが一定時間開放する。その開閉始動口２９ｂに球２３が流入した場合には役物大当たり遊技発生となり、２種大入賞口８が所定時間開放する。
【００６８】
右側領域１６ｂを流下する球２３は、２種大入賞口８の入球口８ａに向けて流下する過程で、流下遅延部材３８によって流下速度が低減されるものがある。流下遅延部材３８によって流下速度が低減された球２３は、後続して右側領域を流下する後続球４０との間隔が狭められ、略同時のタイミングで流下遅延部材から流出する。そして、流下遅延部材３８によって流下速度を低減された球２３と後続球４０とを略同時のタイミングで２種大入賞口８の入球口８ａに到達させることができる。
【００６９】
更に、球２３と後続球４０を２種大入賞口８の入球口８ａに導くタイミングと、２種大入賞口８の羽根部材８ｂの開放タイミングと、が一致することにより、球２３と後続球４０を同時に２種大入賞口８内に導くことができる。前述のように、２種大入賞口８内には、Ｖ入賞口３５の入賞確率が高い第１の案内路８ｄと、この第１の案内路８ｄよりＶ入賞口３５の入賞確率が低い第２の案内路８ｅと、があり、この案内路の分岐点に球２３をいずれかの案内路に導く扇部材８ｆがある。扇部材８ｆは、複数の球２３が入球すると第１の案内路８ｄに導きやすく構成されているため、複数の球２３を同時に２種大入賞口８の入球口８ａに導くことにより、Ｖ入賞口３５への入賞確率を高め、遊技者は期待を高めることができる。
【００７０】
そして、球２３が２種大入賞口８の入球口８ａに流入し、センター役物７内に配置されたＶ入賞口３５に入賞すれば、役物大当たり遊技継続となって中央大入賞口３１が開放する。そして、多量の球２３が中央大入賞口３１へと流入し、多量の景品球が払出されつつ役物大当たり遊技を継続して楽しむことができる。
【００７１】
以上のように、本実施の形態によれば、複雑な制御手段によらず、簡素な構造の流下遅延部材３８によって、球２３の流下速度を低減して、２種大入賞口８の入球口８ａに球２３を到達させる時間を遅延させることができる。そして、流下遅延部材３８によって一時的に流下速度が低減された球２３と、流下速度を低減された球より後続して遊技領域６ｂを流下する後続球４０と、の間隔を狭め、球２３と後続球４０を略同時に２種大入賞口８の入球口８ａに到達させることでき、複数の球２３を２種大入賞口８の入球口８ａに入球されることが可能となる。
【００７２】
以上、本発明の好ましい実施の形態を説明したが、本発明はこれらに限定されるものではなく、その要旨の範囲内で様々な変形や変更が可能である。次いで、流下遅延部材の変形例を図５から図７に基づいて説明する。なお、上述の実施の形態と同様の構成については、図示を省略して同符号を用いて説明する。まず、図５及び図６に基づいて、変形例１に係る第２の流下遅延部材について説明する。図５は、変形例１に係る第２の流下遅延部材部分を拡大した正面図であり、図６は、動作説明図である。
【００７３】
第２の流下遅延部材４１は、遊技盤６上に立設されたプレート部材４１ａと、プレート部材４１ａの下方に配置され、水平移動自在な停留部材４１ｂと、プレート部材４１ａの上下方向に貫通して形成され、遊技媒体が通過可能な開口部４１ｃと、プレート部材４１ａの上方に配置され、水平移動自在な流路変更部材４１ｄと、を有する構成によって実現することができる。停留部材４１ｂと流路変更部材４１ｄは、図示しない駆動部材によって所定の周期で水平駆動される。また、流路変更部材は、その上面が右側下方に傾斜しており、衝突した球の流下方向を右側方向に変化させる。
【００７４】
次いで、図６に基づいて、第２の流下遅延部材４１による遊技領域６ｂを流下する球２３の流下速度を低減する状態と、流下速度を低減した球２３の流下速度を増加させつつ、２種大入賞口８の入球口８ａに向けて球２３を流下させる状態とを実現し、球２３と後続遊技媒体４０の間隔を狭める態様を説明する。
【００７５】
図６（ａ）は、停留部材４１ｂがプレート部材４１ａの直下に位置し、プレート部材４２ａの開口部４１ｃを下方から塞ぐ状態である。流路変更部材４１ｄはプレート部材４１ａの真上に位置せず、遊技領域６ｂを流下する球２３はプレート部材４１ａの開口部４１ｃに流入可能な状態である。開口部４１ｃに流入した球２３は、停留部材４１ｂによって開口部４１ｃを塞がれているため、プレート部材４１ａを通過できず、第２の流下遅延部材４１に停留する。すなわち、球２３の流下速度が低減された状態である。
【００７６】
図６（ｂ）は、図６（ａ）の状態から、停留部材４１ｂが移動せず、流路変更部材４１ｄのみが水平方向に移動してプレート部材４１ａの真上に位置した状態である。このとき、後続球４０が第２の流下遅延部材４１に向かって流下すると、後続球４０は流路変更部材４１ｄによって第二の流下遅延部材４１の右側の遊技領域へ導かれる。
【００７７】
図６（ｃ）は、図６（ｂ）の状態から、流路変更部材４１ｄが移動せず、停留部材４１ｂのみが水平方向に移動し、プレート部材４１ａの開口部４１ｃが開放された状態である。プレート部材４１ａの開口部４１ｃが開放されたため、第２の流下遅延部材４１に停留していた球２３が通過する。球２３は、流下速度を増加しつつ２種大入賞口８の入球口８ａに向けて流下する。このようにして、球２３は、第２の流下遅延部材によって流下速度を遅延させる前と比較して後続球４０との間隔が狭められて、２種大入賞口８の入球口８ａに向けて流下する。
【００７８】
さらに、球２３が第２の流下遅延部材４１から流下し、２種大入賞口８の入球口８ａに到達するタイミングと、後続球４０が第２の流下遅延部材の右側を通過して２種大入賞口８の入球口８ａに到達するタイミングが略同時になるように、停留部材４１ｂと流路変更部材４１ｄが駆動されることにより、複数の球を略同時に２種大入賞口８の入球口８ａに流入させることが可能となる。また、後続球４０は、第２の流下遅延部材４１の右側の遊技領域を流下しており、第２の流下遅延部材４１によって流下速度を低減された球２３と異なる通過軌跡で２種大入賞口８の入球口８ａに導かれる。球２３と４０は、それぞれ異なる軌跡を通過して２種大入賞口８の入球口８ａに向かって流下するため、球同士の接触を減らすことが可能となり、好適である。
【００７９】
次いで、図７に基づいて、変形例２に係る第３の流下遅延部材４２について詳細に説明する。図７は、第３の流下遅延部材４２の動作説明図であり、（ａ）は、第３の流下遅延部材４２によって遊技領域６ｂを流下する球２３の流下速度を低減させる状態を示しており、（ｂ）は、流下速度を低減した球２３の流下速度を増加させつつ、２種大入賞口８の入球口８ａに向けて球２３を流下させる状態を示したものである。
【００８０】
第３の流下遅延部材４２は、遊技領域６ｂを流下する球２３が流入され、その球２３を下流に向かって通過させる第１傾斜通路４２ａと、第１傾斜通路４２ａを通過した球２３を下流に向かって通過させる第２傾斜通路４２ｂと、第２傾斜通路４２ｂを通過した球２３を下流に配置される２種大入賞口８（図示せず）の入球口８ａ（図示せず）に向かって通過させる第３傾斜通路４２ｃと、図示しない駆動部材と接続され、各傾斜通路を回転自在に支持する回転軸４２ｄと、第１から第３傾斜通路の両側部に配置された壁部４２ｅと、を備える。
【００８１】
各傾斜通路は、上下方向において互いに離間して配置されており、その上面が球２３を通過させる通過面である。第１傾斜通路４２ａ及び第３傾斜通路４２ｃは正面視にて右下方に傾斜しており、第２傾斜通路４２ｂは正面視にて左下方に傾斜している。第１傾斜通路４２ａに流入した球２３は、通過面を移動し、下流に配置される第２傾斜通路及び第３傾斜通路に流下する。なお、各傾斜通路の両側部には、壁部４２ｅが配置されているため、各傾斜通路を通過した球は、第３の流下遅延部材４２の側方には流出せず、下流に配置される傾斜通路に導かれる。
【００８２】
図７（ａ）は、各傾斜通路にて球２３を水平方向に移動させつつ流下させる状態である。第３の流下遅延部材４２に流入した球２３は、第１傾斜通路４２ａの通過面に沿って水平方向に移動しつつ流下する。よって、球２３の流下速度は低減される。球２３より後続して第３の流下遅延部材４２に流入した後続球４０も、各傾斜通路を水平方向に移動しつつ流下し、その流下速度は低減される。先に流入した球２３と後続して流入した後続球４０は、略同じ間隔を維持して流下する。
【００８３】
次いで、図７（ｂ）は、回転軸４２ｄを中心として各傾斜通路を回転方向に移動した状態である。各傾斜通路を回転させ、各傾斜通路の傾斜角度が大きくなると、各傾斜通路を通過する球は通過面から落下して、流下する。したがって、第３の流下遅延部材４２によって流下速度が遅延された球２３及び後続球４０は、流下速度を増加されつつ下方に流下される。また、先に流入した球２３と後続して流入した後続球４０は、第３の流下遅延部材４２で水平方向に移動しつつ下方に流下しており、その鉛直方向における間隔は、第３の流下遅延部材４２に流入した際よりも狭められている。この状態で、球２３及び後続球４０を鉛直方向に流下させるため、第３の流下遅延部材４２に流入した際と比較して球２３と後続球４０との間隔を狭めて、２種大入賞口８の入球口８ａに向けて流下させることが可能となる。以上のように、第３の流下遅延部材４２によっても、先に流下する球２３と後続して流下する後続球４０の間隔を狭めることができ、複数の球を略同時に２種大入賞口８の入球口８ａに流入させることが可能となる。
【００８４】
なお、本実施の形態においては、１種２種のパチンコ機として、遊技領域が右側領域と左側領域とに分離され、球通路を通過した球が通過ゲート、開閉始動口及び２種大入賞口が配置された右側領域へと至る構成について説明しているが、もちろん遊技領域が右側と左側とに必ずしも分離してなくてよく、実施態様に応じて適宜変更可能である。
【図面の簡単な説明】
【００８５】
【図１】本発明の実施の形態に係るパチンコ機の正面図である。
【図２】図１に示すパチンコ機の流下遅延部材部分を拡大した正面図である。
【図３】図１に示すパチンコ機の流下遅延部材を示した図である。（ａ）は斜視図であり、（ｂ）は分解斜視図である。
【図４】図１に示すパチンコ機の流下遅延部材の動作説明図である。
【図５】変形例１に係る第２の流下遅延部材を示す斜視図である。
【図６】変形例１に係る第２の流下遅延部材の動作説明図である。
【図７】変形例２に係る第３の流下遅延部材の動作説明図である。
【符号の説明】
【００８６】
２：パチンコ機（遊技機）
３：枠体
４：筐体枠（枠体の一部）
５：遊技盤ユニット
６：遊技盤
６ａ：遊技盤面（表面）
６ｂ：遊技領域
７：センター役物
７ａ：図柄表示装置
７ｂ：表示画面（映像表示面）
７ｃ：表示図柄
８：２種大入賞口（第２の大入賞口）
８ａ：入球口（流入口）
８ｂ：羽根部材（動作部材）
８ｃ：クルーン部材
８ｄ：第１の案内路
８ｅ：第２の案内路
８ｆ：扇部材（振分け部）
９：機枠（枠体の一部）
１０：前面ガラス（前面透明板）
１２：装飾枠（枠体の一部）
１４：貯留皿
１４ａ：上皿
１４ｂ：下皿
１４ｃ：球排出ボタン
１５：発射ハンドル
１６ａ：左側領域
１６ｂ：右側領域
２２：ヒンジ部（揺動支持部）
２３：球（遊技媒体）
２６：レール飾り
２６ａ：内側面（内周面）
２６ｂ：衝突部
２７：ゲージ（障害釘）
２８：普通入賞口（流入口）
２９ａ：中央始動口（第１の始動口）
２９ｂ：開閉始動口（第２の始動口）
３０：アウト口（流入口）
３１：中央大入賞口（第１の大入賞口）
３２：装飾部材
３３：通過ゲート
３４：風車
３５：Ｖ入賞口
３７：球通路
３８：流下遅延部材
３８ａ：収納部 
３８ｂ：円盤部
３８ｃ：立設部
３８ｄ：貯留空間
３８ｅ：貯留空間入口
３８ｆ：貯留空間出口
４０：後続球
４１：第２の流下遅延部材
４１ａ：プレート部材
４１ｂ：停留部材
４１ｃ：開口部
４１ｄ：流路変更部材
４２：第３の流下遅延部材
４２ａ：第１傾斜通路
４２ｂ：第２傾斜通路
４２ｃ：第３傾斜通路
４２ｄ：回転軸
４２ｅ：壁部
【図１】
2009240495.tif 000003
【図２】
2009240495.tif 000004
【図３】
2009240495.tif 000005
【図４】
2009240495.tif 000006
【図５】
2009240495.tif 000007
【図６】
2009240495.tif 000008
【図７】
2009240495.tif 000009